【手続補正書】
【提出日】平成18年12月25日(2006.12.25)
【手続補正１】
【補正対象書類名】明細書
【補正対象項目名】発明の名称
【補正方法】変更
【補正の内容】
【発明の名称】ＭＲＩ装置
【手続補正２】
【補正対象書類名】明細書
【補正対象項目名】特許請求の範囲
【補正方法】変更
【補正の内容】
【特許請求の範囲】
【請求項１】  被検体の撮像領域にＡＳＬ（Ａｒｔｅｒｉａｌ  ＳｐｉｎＬａｂｅｌｉｎｇ）法に基づくスキャンを実行して当該ＡＳＬ法に基づく前記撮像領域の画像データを得る撮像手段と、
この撮像手段により得られた画像データにスケール値を適用して前記撮像領域における組織血流から成るフローを定量的に求めるフロー定量化手段とを備えたことを特徴とするＭＲＩ装置。
【請求項２】  請求項１記載のＭＲＩ装置において、前記撮像手段は、前記ＡＳＬ法に拠るコントロールモード及びタグモードのスキャンを実行して各モードの画像データを得るスキャン手段と、
この両モードの画像データから前記撮像領域の１枚分のＡＳＬ法に拠る画像データを生成する生成手段とを有することを特徴としたＭＲＩ装置。
【請求項３】  請求項２に記載のＭＲＩ装置において、
前記フロー定量化手段は、前記１枚分の画像データに前記スケール値を掛けて前記フローを画素毎に演算する演算手段を有することを特徴としたＭＲＩ装置。
【請求項４】  請求項１乃至３の何れか一項に記載のＭＲＩ装置において、
前記スケール値を演算するスケール値演算手段を備えることを特徴としたＭＲＩ装置。
【請求項５】  請求項４記載のＭＲＩ装置において、
前記スケール値演算手段は、少なくとも装置の誤差又は前記スキャンに対する受信ゲインの変動に因る誤差を補正した前記スケール値を演算する手段であることを特徴としたＭＲＩ装置。
【請求項６】  請求項５記載のＭＲＩ装置において、
前記スケール値演算手段は、前記被検体に関して参照されるレファレンスの前記ＡＳＬ法に基づく基準画像データを得る基準画像データ取得手段と、
前記フロー又は前記スキャンに関する既知情報と前記レファレンスの基準画像データとに基づき前記スケール値を演算する演算手段とを有することを特徴としたＭＲＩ装置。
【請求項７】  請求項６記載のＭＲＩ装置において、
前記レファレンスは、前記被検体の正常組織又はフローファントムであり、前記既知情報は、既知のフローであることを特徴としたＭＲＩ装置。
【請求項８】  請求項７記載のＭＲＩ装置において、
前記ＡＳＬ法に基づく基準画像データは、このＡＳＬ法に拠るタグモードとコントロールモードのスキャンによって収集された画像データ相互間の差分データであることを特徴としたＭＲＩ装置。
【請求項９】  請求項８記載のＭＲＩ装置において、
前記スキャン時の受信信号に対する受信ゲインを補正する受信ゲイン補正手段と、この補正された受信ゲインを前記撮像手段によって撮像された画像データ及び前記基準画像データ取得手段によって得られた基準画像データに反映させる手段とを備えたことを特徴としたＭＲＩ装置。
【請求項１０】  請求項９記載のＭＲＩ装置において、
前記受信ゲイン補正手段は、血液のＴ１値に近似されるＴ１値を呈するレファレンスファントムを用いたスキャンを伴う手段であることを特徴としたＭＲＩ装置。
【請求項１１】  請求項７記載のＭＲＩ装置において、
前記ＡＳＬ法に基づく基準画像データは、このＡＳＬ法に拠るタグモードとコントロールモードのスキャンによって収集された画像データからＡＳＬＲ（ＡＳＬ  ｓｉｇｎａｌ  ｔｏ  ｃｏｎｔｒｏｌ  ｓｉｇｎａｌ  ｒａｔｉｏ）であることを特徴としたＭＲＩ装置。
【請求項１２】  請求項６記載のＭＲＩ装置において、
前記レファレンスは、前記被検体の撮像領域の画像内に存在する血管であり、前記既知情報は、前記スキャンの撮像パラメータであって、前記ＡＳＬ法に基づく基準画像データは、このＡＳＬ法に拠るタグモードとコントロールモードのスキャンによって収集された画像データ相互間の差分データであることを特徴としたＭＲＩ装置。
【請求項１３】  請求項６乃至１２の何れか一項に記載のＭＲＩ装置において、
前記基準画像データ取得手段は、前記ＡＳＬ法に拠るコントロールモード及びタグモードのスキャンを実行して各モードの画像データを得る手段であって、
このスキャンは前記撮像手段によって実行されるスキャンを兼用する構成であることを特徴としたＭＲＩ装置。
【請求項１４】  請求項４乃至１４の何れか一項に記載のＭＲＩ装置において、
前記スケール値演算手段は、フロー定量化の測定毎に前記フロー定量化手段と共に作動させるように構成することを特徴としたＭＲＩ装置。
【請求項１５】  請求項９乃至１１の何れか一項に記載のＭＲＩ装置において、
前記スケール値演算手段は、前記フロー定量化手段とは時間的に独立して作動させるように構成することを特徴としたＭＲＩ装置。
【請求項１６】  請求項１５記載のＭＲＩ装置において、
同一撮像条件下でのフロー定量化の測定には、前記スケール値演算手段よって演算された同一のスケール値を前記フロー定量化手段で用いるように構成することを特徴としたＭＲＩ装置。
【請求項１７】  請求項１記載のＭＲＩ装置において、
前記撮像手段は、前記ＡＳＬ法に拠るコントロールモード及びタグモードのスキャンを実行して各モードの画像データを得るスキャン手段と、この両モードの画像データから前記撮像領域の少なくとも２枚分のＡＳＬ法に拠る画像データを生成する生成手段とを有する一方で、
前記フロー定量化手段は、前記少なくとも２枚分の画像データから画素値の傾きを画素毎に演算する第１の演算手段と、この画素値の画素毎の傾きに前記スケール値を掛けて前記フローを画素毎に演算する第２の演算手段とを有することを特徴としたＭＲＩ装置。
【請求項１８】  請求項１７記載のＭＲＩ装置において、
前記第１の演算手段は、原子核スピンの反転時間ＴＩに対するＴ１補正後の画素値の傾きを画素毎に演算する手段であることを特徴としたＭＲＩ装置。
【請求項１９】  請求項１７又は１８記載のＭＲＩ装置において、
前記フロー定量化手段は、前記被検体に対するリファレンスのＡＳＬ法に拠る画像値を少なくとも２つ得る手段と、この少なくとも２つの画像値に対して前記Ｔ１補正がなされた画素値の傾きを演算する手段と、この傾きから前記スケール値を演算する手段とを備えたことを特徴とするＭＲＩ装置。
【手続補正３】
【補正対象書類名】明細書
【補正対象項目名】０００１
【補正方法】変更
【補正の内容】
【０００１】
【発明の属する技術分野】
この発明は、被検体に造影剤を投与することなく、パフュージョン（ｐｅｒｆｕｓｉｏｎ：組織血流）又は血管の画像を提供することができるＡＳＬ（Ａｒｔｅｒｉａｌ  Ｓｐｉｎ  Ｌａｂｅｌｉｎｇ）法に基づくイメージングを用いて、フローを簡便な手法で定量化することができるＭＲＩ（磁気共鳴イメージング）装置に関する。
【手続補正４】
【補正対象書類名】明細書
【補正対象項目名】００１５
【補正方法】変更
【補正の内容】
【００１５】
本発明は、上述した従来技術が抱える状況に鑑みてなされたもので、ＡＳＬイメージングに拠るイメージングスラブからのデータ収集は必要最小限に止めることができ、その収集データに僅かな演算量の簡便な処理を施すだけで、イメージングスラブのフロー（組織血流）を簡単に且つ精度良く定量化することができるＭＲＩ装置を提供することを、その目的とする。
【手続補正５】
【補正対象書類名】明細書
【補正対象項目名】００７５
【補正方法】削除
【補正の内容】
【手続補正６】
【補正対象書類名】明細書
【補正対象項目名】００７６
【補正方法】削除
【補正の内容】
【手続補正７】
【補正対象書類名】明細書
【補正対象項目名】０１５５
【補正方法】変更
【補正の内容】
【０１５５】
なお、本実施形態において、フロー定量化の測定毎に補正した受信ゲイン又は既知の受信ゲインでスケール値を演算するように構成した場合、スケール値は１回求めておけば、定量化測定が変わっても、同一のスケール値を用いることもできる。しかしながら、そのように構成した場合でも、スケール値が経時的又は装置毎に変動する可能性があるときは、前述した第１の実施形態で説明したと同様に、その変動し得る単位の回数毎に、その都度、スケール値を受信ゲインで補正するキャリブレーションを実行すればよい。